(57)【特許請求の範囲】
【請求項１】
所定の記録領域を有する円盤状の記録媒体である磁気ディスクであって、
前記記録領域の一部に対して利用者にアクセスを許可する許可領域を設ける場合に、外周から内周にわたって半径がそれぞれ異なる同心円によって挟まれる各分割領域における一つ飛ばしの各分割領域に対して、前記許可領域を分散して配置したことを特徴とする磁気ディスク。
【請求項２】
前記許可領域が配置されていない前記分割領域に対して、バックアップデータが記録されるバックアップデータ記録領域を分散して配置したことを特徴とする請求項１に記載の磁気ディスク。
【請求項３】
前記分割領域は、外周領域、中間領域および内周領域からなり、前記外周領域および前記内周領域に対して前記許可領域を分散して配置したことを特徴とする請求項１または２に記載の磁気ディスク。
【請求項４】
前記分割領域は、外周から内周にわたって半径がそれぞれ異なる同心円によって挟まれる領域として分割され、かつ、円周方向に分割されたものであることを特徴とする請求項１、２または３に記載の磁気ディスク。
【請求項５】
所定の記録領域を有する円盤状の記録媒体である磁気ディスクを有する磁気ディスク装置であって、
前記記録領域の一部に対して利用者にアクセスを許可する許可領域を設ける場合に、外周から内周にわたって半径がそれぞれ異なる同心円によって挟まれる各分割領域における一つ飛ばしの各分割領域に対して、前記許可領域を分散して配置した磁気ディスクと、
前記分割領域に対するデータのリード／ライトを行う磁気ヘッドと
を備えたことを特徴とする磁気ディスク装置。
【発明の詳細な説明】
【０００１】
【発明の属する技術分野】
本発明は、コンピュータ等の外部記憶装置として用いられる磁気ディスクおよび磁気ディスク装置に関するものであり、特に、磁気ヘッドの定点浮上を防止することで信頼性を高めることができ、磁気ディスクの利用効率を高めることができる磁気ディスクおよび磁気ディスク装置に関するものである。
【０００２】
【従来の技術】
従来の磁気ディスク装置は、コンピュータ等の大容量記憶装置として用いられており、円板状の磁気ディスクを記録媒体としている。図５（ａ）には、従来の磁気ディスク装置の要部の構成が図示されている。同図において、磁気ディスク１は、磁気的にデータを記録する円板状の記録媒体であり、同図に示した矢印方向に高速回転される。
【０００３】
磁気ヘッド２は、高速回転している磁気ディスク１との間に生じる浮力により、数１０ｎｍ浮上した状態で、磁気ディスク１に対するデータのリード／ライトを行う。このリード／ライト時において、磁気ヘッド２は、弧を描く軌跡で、磁気ディスク１の外周から内周までの範囲を移動可能とされており、所定位置まで移動される。
【０００４】
ここで、磁気ディスク１は、外周から内周までの全領域（斜線領域）にデータがライトされている。従って、磁気ヘッド２の移動範囲は、外周から内周までの半径方向における最大値である。
【０００５】
ここで、磁気ディスク装置における磁気ディスクの記録密度は、技術進歩により年々高くなっている。従って、数年前に製造された磁気ディスク装置と、最新の磁気ディスク装置との間では、記録密度に大きな開きが出る。
【０００６】
例えば、新旧の磁気ディスク装置間で磁気ディスクの記録密度に５倍の開きがある場合、１枚の磁気ディスクで１ギガバイトの記憶容量を有する旧型の磁気ディスク装置に対して、新型の磁気ディスク装置は、１枚の磁気ディスク（但し、旧型の磁気ディスクと同面積）で５倍の５ギガバイトの記憶容量を有することになる。
【０００７】
また、従来では、トラブル復旧や、旧型の磁気ディスク装置から新型の磁気ディスク装置へのバージョンアップ等を行う場合には、上述した旧型の磁気ディスク装置における図５（ａ）に示した磁気ディスク１（記録密度：低い）に記録されているデータを、新型の磁気ディスク装置における図５（ｂ）に示した磁気ディスク３（記録密度：高い）に記録するというデータ転送が行われる。
【０００８】
この場合、図５（ｂ）に示した新型の磁気ディスク３の記録密度が、図５（ａ）に示した旧型の磁気ディスク１の記録密度より高いため、磁気ディスク１に記録されている全データは、磁気ディスク３の外周領域である外周領域３ａに記録される。従って、磁気ディスク３においては、内周領域３ｂが未使用とされる。
【０００９】
ここで、磁気ヘッド４は、外周領域３ａをカバーする範囲内でしか移動されない。従って、磁気ヘッド４の場合には、図５（ａ）に示した磁気ヘッド２に比べて、移動範囲が狭くなる。
【００１０】
【発明が解決しようとする課題】
ところで、前述したように、従来においては、記録密度が低い磁気ディスクに記録されたデータを、記録密度が高い磁気ディスクに記録した場合、磁気ヘッドの移動が狭い範囲に限定される。
【００１１】
この場合には、磁気ヘッドがほぼ定点（狭い範囲）で浮上するという定点浮上状態となるため、磁気ヘッドにゴミ等が付着しやすくなり、ヘッドクラッシュ等の発生により信頼性が低くなる場合がある、という問題があった。
【００１２】
また、従来では、図５（ｂ）に示した内周領域３ｂという大きな領域が未使用状態となるため、磁気ディスクの利用効率が低いという問題があった。
【００１３】
本発明は、上記に鑑みてなされたもので、磁気ヘッドの定点浮上を防止することで信頼性を高めることができ、磁気ディスクの利用効率を高めることができる磁気ディスクおよび磁気ディスク装置を提供することを目的とする。
【００１４】
【課題を解決するための手段】
上記目的を達成するために、本発明は、所定の記録領域を有する円盤状の記録媒体である磁気ディスクであって、前記記録領域の一部に対して利用者にアクセスを許可する許可領域を設ける場合に、外周から内周にわたって半径がそれぞれ異なる同心円によって挟まれる各分割領域における一つ飛ばしの各分割領域に対して、前記許可領域を分散して配置したことを特徴とする。
【００１５】
この発明によれば、記録領域の一部に対して利用者にアクセスを許可する許可領域を設ける場合に、外周から内周にわたって半径がそれぞれ異なる同心円によって挟まれる各分割領域における一つ飛ばしの各分割領域に対して、許可領域を分散して配置することとしたので、ディスク媒体上に多数の未使用領域が発生する場合であっても、許可領域をディスク媒体全体にわたって分散させることが可能となるため、磁気ヘッドの定点浮上の問題を防止することで信頼性を高めることができる。
【００１６】
また、本発明は、前記分割領域は、外周領域、中間領域および内周領域からなり、前記外周領域および前記内周領域に対して前記許可領域を分散して配置したことを特徴とする。
【００１７】
この発明によれば、分割領域は、外周領域、中間領域および内周領域からなり、外周領域および内周領域に対して許可領域を分散して配置することとしたので、中間領域を除く、外周領域および内周領域に許可領域を分散して配置することが可能となり、磁気ヘッドの移動距離が長くなり定点浮上の問題を防止することで信頼性を高めることができる。
【００１８】
また、本発明は、外周から内周にわたって半径がそれぞれ異なる同心円によって挟まれる領域として分割され、かつ、円周方向に分割されたものであることを特徴とする。
【００１９】
この発明によれば、分割領域は、外周から内周にわたって半径がそれぞれ異なる同心円によって挟まれる領域として分割され、かつ、円周方向に分割されたものであることとしたので、外周から内周および同一円周上にわたって許可領域を分散させることが可能となるため、磁気ヘッドの定点浮上の問題を防止することで信頼性を高めることができる。
【００２０】
また、本発明は、所定の記録領域を有する円盤状の記録媒体である磁気ディスクを有する磁気ディスク装置であって、前記記録領域の一部に対して利用者にアクセスを許可する許可領域を設ける場合に、外周から内周にわたって半径がそれぞれ異なる同心円によって挟まれる各分割領域における一つ飛ばしの各分割領域に対して、前記許可領域を分散して配置した磁気ディスクと、前記分割領域に対するデータのリード／ライトを行う磁気ヘッドとを備えたことを特徴とする。
【００２１】
この発明によれば、記録領域の一部に対して利用者にアクセスを許可する許可領域を設ける場合に、外周から内周にわたって半径がそれぞれ異なる同心円によって挟まれる各分割領域における一つ飛ばしの各分割領域に対して、許可領域を分散して配置した磁気ディスクと、分割領域に対するデータのリード／ライトを行う磁気ヘッドとを備えることとしたので、ディスク媒体上に多数の未使用領域が発生する場合であっても、許可領域をディスク媒体全体にわたって分散させることが可能となるため、磁気ヘッドの定点浮上の問題を防止することで信頼性を高めることができる。
【００２２】
【発明の実施の形態】
以下、図面を参照して本発明にかかる磁気ディスクおよび磁気ディスク装置の一実施の形態について詳細に説明する。
【００２３】
図１は、本発明にかかる一実施の形態の構成を示すブロック図である。同図に示した磁気ディスク装置１０は、コンピュータ等の記憶装置として用いられる。この磁気ディスク装置１０において、磁気ディスク１１は、磁気的にデータを記録する円板状の記録媒体である。
【００２４】
ＳＰＭ（スピンドルモータ）１２は、磁気ディスク１１を同図に示した矢印方向に高速回転させる。ＳＰＭ駆動部１３は、後述するＭＰＵ（Micro Processing Unit）２１の制御に基づいて、駆動電流によりＳＰＭ１２を駆動する。磁気ヘッド１４は、極めて狭い幅のギャップを有するヘッドコアと、該ヘッドコアに巻回されたコイル（いずれも図示略）とから構成されており、アーム状のキャリッジ１５の先端部に支持されている。
【００２５】
磁気ヘッド１４は、高速回転している磁気ディスク１１との間に生じる浮力により、数１０ｎｍ浮上した状態で、磁気ディスク１１に対するデータのリード／ライトを行う。
【００２６】
具体的には、磁気ヘッド１４は、ライト時に上記コイルに供給される記録電流により発生する磁界で磁気ディスク１１に対してデータをライトする一方、磁気ディスク１１に記録されているデータを磁気的に再生電圧（リード信号）として検知する。
【００２７】
ＶＣＭ（ボイスコイルモータ）１６は、キャリッジ１５を回転させることにより、磁気ディスク１１の外周から内周までの範囲で、円弧を描く軌跡で磁気ヘッド１４を目標位置まで移動させる。ＶＣＭ駆動部１７は、ＭＰＵ２１の制御に基づいて、駆動電流によりＶＣＭ１６を駆動する。
【００２８】
ヘッドＩＣ（Integrated Circuit）１８は、ライトアンプおよびリードアンプ（いずれも図示略）からなり、磁気ヘッド１４の近傍に配設されている。上記ライトアンプは、磁気ヘッド１４へ供給すべき記録電流の極性を、後述するホスト３０から供給されるライトデータに従って切り替える機能を備えている。一方、リードアンプは、磁気ヘッド１４により検知された再生電圧（リード信号）を増幅し、リードチャネル１９へ供給する。
【００２９】
リードチャネル１９は、ライトデータを磁気ディスク１１にライトするための変調回路や、パラレルのライトデータをシリアルデータに変換するパラレル／シリアル変換回路や、リードデータを磁気ディスク１１からリードするための復調回路等を備えている。
【００３０】
また、リードチャネル１９は、シリアルのリードデータをパラレルデータに変換するシリアル／パラレル変換回路や、水晶振動子を用いた発振回路の周波数を逓倍することにより、タイミング信号を発生するシンセサイザ回路等を備えている。
【００３１】
サーボ復調部２０は、磁気ディスク１１に記録された位置決め用のサーボパターンをピークホールドや積分等により復調する。ＭＰＵ２１は、サーボ制御や、磁気ディスク１１に対するデータのリード／ライトに関するリード／ライト制御等を実行する。
【００３２】
サーボ制御において、ＭＰＵ２１は、サーボ復調部２０により復調されたサーボパターンを認識して、ＳＰＭ駆動部１３およびＶＣＭ駆動部１７の各駆動電流を制御することにより、磁気ディスク１１における磁気ヘッド１４の位置決めを行う。
【００３３】
ＲＡＭ（Random Access Memory）２２は、ホスト３０から供給されたライトデータや、磁気ディスク１１からリードされたリードデータ等を一時的に記憶するものである。ＲＯＭ（Read Only Memory）２３は、ＭＰＵ２１で実行される制御プログラムを記憶する。
【００３４】
通信部２４は、図示しないＳＣＳＩ（Small Computer System Interface）バスを介してホスト３０に接続されており、各種コマンド（リードコマンド、ライトコマンド等）、ライトデータやリードデータ等の送受信を行う。ホスト３０は、各種コマンドやライトデータを通信部２４へ送信する機能や、磁気ディスク１１からリードされたリードデータを通信部２４より受信する機能を備えている。
【００３５】
図２は、図１に示した磁気ディスク１１の構成を示す平面図である。同図に示した磁気ディスク１１は、図５（ｂ）に示した磁気ディスク３に相当しており、磁気ディスク１（図５（ａ）参照）よりも記録密度が高い。
【００３６】
また、磁気ディスク１１においては、同心円状に複数分割されており、データがリード／ライトされるデータ記録領域１１1（斜線部分）、バックアップ用のデータがリード／ライトされるバックアップデータ記録領域１１2 、データ記録領域１１3（斜線部分）、バックアップデータ記録領域１１4、データ記録領域１１5（斜線部分）、バックアップデータ記録領域１１6 を有している。
【００３７】
すなわち、磁気ディスク１１においては、データ記録領域とバックアップデータ記録領域が同心円状に交互に設定されている。データ記録領域１１1 、１１3、および１１5 には、外周から内周へ向かってアドレスが全体的に付与される。
【００３８】
また、磁気ディスク１１においては、バックアップデータ記録領域１１2 、１１4、および１１6 には、外周から内周へ向かってアドレスが全体的に付与される。これらのバックアップデータ記録領域１１2 、１１4、および１１6 には、データ記録領域１１1 、１１3、および１１5 に記録されたデータと同じデータがバックアップデータとしてライトされる。
【００３９】
ここで、トラブル復旧等により、図５（ａ）に示した磁気ディスク１に記録されたデータを図２に示した磁気ディスク１１に記録する場合について説明する。この場合、図１に示したホスト３０からは、磁気ディスク１に記録されたデータおよびライトコマンドが通信部２４へ転送される。これにより、ＭＰＵ２１は、リードチャネル１９、ヘッドＩＣ１８を経由して、ライトすべきデータを磁気ヘッド１４へ渡す。
【００４０】
また、ＭＰＵ２１は、ＳＰＭ駆動部１３およびＶＣＭ駆動部１７を制御することでサーボ制御を実行する。これにより、図２に示した磁気ヘッド１４が磁気ディスク１１の外周のデータ記録領域１１1 にオントラックし、外周から内周へ向かって全体的に移動するとともに、データ記録領域１１1 、バックアップデータ記録領域１１2 、・・・・、バックアップデータ記録領域１１6 の順でデータ（バックアップデータ）をライトする。
【００４１】
また、磁気ディスク１１からデータをリードする場合、外周のデータ記録領域１１1 から内周のデータ記録領域１１5 までの間にデータがライトされているため、磁気ヘッド１４は、理論上、外周から内周までの広い範囲を移動しつつデータをリードすることになる。
【００４２】
また、データ記録領域１１1 、１１3、および１１5 にライトされたデータが破壊された場合には、磁気ヘッド１４により、バックアップデータ記録領域１１2 、１１4、および１１6 からバックアップデータがリードされる。
【００４３】
なお、図２に示したバックアップデータ記録領域１１2  、１１4、および１１6 にバックアップデータをライトする例について説明したが、定点浮上のみを防止する観点からすれば、バックアップデータをライトせずに、未使用領域としてもよい。
【００４４】
また、一実施の形態においては、図２に示した磁気ディスク１１に代えて、図３に示した分割方法の磁気ディスク４０を用いてもよい。この磁気ディスク４０は、３つの同心円状に分割されている。具体的には、磁気ディスク４０において、外周データ記録領域４０1 は、外周部に設定されデータがリード／ライトされる領域である。
【００４５】
内周データ記録領域４０2 は、内周部に設定されデータがリード／ライトされる領域である。これらの外周データ記録領域４０1 および内周データ記録領域４０2 には、外周から内周へ向かってアドレスが付与される。
【００４６】
バックアップデータ記録領域４０3 は、外周データ記録領域４０1 と、内周データ記録領域４０2 とに挟まれ、バックアップ用のデータがリード／ライトされる領域である。なお、バックアップデータ記録領域４０3 には、外周から内周へ向かってアドレスが付与される。
【００４７】
ここで、上述した場合と同様にして、図５（ａ）に示した磁気ディスク１に記録されたデータを図３に示した磁気ディスク４０に記録する場合、同図に示した磁気ヘッド１４が磁気ディスク４０の外周データ記録領域４０1 にオントラックし、外周から内周へ向かって全体的に移動するとともに、外周データ記録領域４０1 、内周データ記録領域４０2 およびバックアップデータ記録領域４０3 の順でデータ（バックアップデータ）をライトする。
【００４８】
また、磁気ディスク４０からデータをリードする場合、外周データ記録領域４０1 および内周データ記録領域４０2 にデータがライトされているため、磁気ヘッド１４は、理論上、外周から内周までの広い範囲を移動しつつデータをリードすることになる。
【００４９】
なお、上述では、図３に示したバックアップデータ記録領域４０3 にバックアップデータをライトする例について説明したが、定点浮上のみを防止する観点からすれば、バックアップデータをライトせずに、未使用領域としてもよい。
【００５０】
また、一実施の形態においては、図２に示した磁気ディスク１１に代えて、図４に示した分割方法の磁気ディスク５０を用いてもよい。この磁気ディスク５０は、同心円状に複数分割されかつ円周方向に複数分割されている。具体的には、磁気ディスク５０において、外周から内周に向かって同心円領域５０1 、５０2 、・・・、５０7 が設定されている。
【００５１】
さらに、同心円領域５０1 においては、円周方向にデータがリード／ライトされるデータ記録領域５０1a 、バックアップデータがリード／ライトされるバックアップデータ記録領域５０1b 、・・・という具合にデータ記録領域とバックアップデータ記録領域とが交互に設定されている。
【００５２】
同様にして、同心円領域５０2 においては、円周方向にバックアップデータ記録領域５０2a 、データ記録領域５０2b 、・・・という具合にデータ記録領域とバックアップデータ記録領域とが１セクタ単位で交互に設定されている。
【００５３】
また、同心円領域５０7 においては、円周方向にデータ記録領域５０7a 、バックアップデータ記録領域５０7b 、・・・という具合にデータ記録領域とバックアップデータ記録領域とが交互に設定されている。このように、磁気ディスク５０においては、半径方向および円周方向においてデータ記録領域とバックアップデータ記録領域とが交互になるように設定されている。
【００５４】
データ記録領域５０1a  、・・・は、外周から内周へ向かってアドレスが全体的に付与される。同様にして、バックアップデータ記録領域５０1b  、・・・も、外周から内周へ向かってアドレスが全体的に付与される。
【００５５】
ここで、上述した場合と同様にして、図５（ａ）に示した磁気ディスク１に記録されたデータを図４に示した磁気ディスク５０に記録する場合、同図に示した磁気ヘッド１４が磁気ディスク５０における外周の同心円領域５０1 にオントラックし、外周から内周へ向かって全体的に移動するとともに、データ記録領域５０1a 、・・・、バックアップデータ記録領域５０2b 、・・・の順でデータ（バックアップデータ）をライトする。
【００５６】
また、磁気ディスク５０からデータをリードする場合、外周の同心円領域５０1 から内周の同心円領域５０7 までにデータがライトされているため、磁気ヘッド１４は、理論上、外周から内周までの広い範囲を移動しつつデータをリードすることになる。
【００５７】
なお、上述では、図４に示したバックアップデータ記録領域５０1b、・・・にバックアップデータをライトする例について説明したが、定点浮上のみを防止する観点からすれば、バックアップデータをライトせずに、未使用領域としてもよい。
【００５８】
以上説明したように、一実施の形態によれば、図２に示したように、外周から内周に向かって同心円状に複数分割された領域を有し、複数の領域において一つ飛ばしの各領域を、データが記録されるデータ記録領域１１1 、１１3 および１１5 に設定することとしたので、外周から内周までの広い範囲でデータが記録され、磁気ヘッド１４の定点浮上を防止することで信頼性を高めることができる。
【００５９】
また、一実施の形態によれば、データ記録領域１１1 、１１3 および１１5 以外の各領域をバックアップデータが記録されるバックアップデータ記録領域１１2 、１１4 、１１6 に設定することとしたので、磁気ディスク１１の利用効率を高めることができる。なお、後述する図３および図４においてもバックアップデータ記録領域により利用効率を高めることができる。
【００６０】
また、一実施の形態によれば、図３に示したように、データが記録される外周データ記録領域４０1 を外周に設定し、かつデータが記録される内周データ記録領域４０2 を内周に設定することとしたので、外周および内周の範囲でデータが記録され、磁気ヘッド１４の移動距離が長くなり定点浮上を防止することで信頼性を高めることができる。
【００６１】
また、一実施の形態によれば、図４に示したように、外周から内周に向かって同心円状に複数分割されかつ円周方向に複数分割された領域を有し、複数の領域において、半径方向に一つ飛ばしの各領域と円周方向に一つ飛ばしの各領域とを、データが記録されるデータ記録領域５０1a、・・・、５０7a に設定することとしたので、外周から内周までの広い範囲でデータが記録され、磁気ヘッド１４の定点浮上を防止することで信頼性を高めることができる。
【００６２】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００６３】
例えば、図２に示した磁気ディスク１１、図３に示した磁気ディスク４０においては、外周のデータ記録領域（最外周から使用）と内周のデータ記録領域（最内周から使用）とに交互にアドレスを付与し、外周と内周とを交互に磁気ヘッド１４を移動させるようにしてもよい。
【００６４】
また、磁気ディスク１１、磁気ディスク４０の両面を記録領域として使用する場合には、以下の２つのアドレス付与のパターンが考えられる。
・表面外周→裏面内周→表面外周→裏面内周
・表面外周→裏面内周→表面内周→裏面外周
【００６５】
（付記１）円板状の記録媒体としての磁気ディスクであって、外周から内周に向かって同心円状に複数分割された領域を有し、複数の領域において一つ飛ばしの各領域が、データが記録されるデータ記録領域に設定されていることを特徴とする磁気ディスク。
（付記２）前記データ記録領域以外の各領域は、バックアップデータが記録されるバックアップデータ記録領域に設定されていることを特徴とする付記１に記載の磁気ディスク。
（付記３）各データ記録領域においては、外周から内周に向かってアドレスが全体的に付与されていることを特徴とする付記１または２に記載の磁気ディスク。
（付記４）各バックアップデータ記録領域においては、外周から内周に向かってアドレスが全体的に付与されていることを特徴とする付記２または３に記載の磁気ディスク。
（付記５）円板状の記録媒体としての磁気ディスクであって、データが記録される外周データ記録領域が外周に設定され、かつ前記データが記録される内周データ記録領域が内周に設定されていることを特徴とする磁気ディスク。
（付記６）前記外周データ記録領域と前記内周データ記録領域との間の領域は、バックアップデータが記録されるバックアップデータ記録領域に設定されていることを特徴とする付記５に記載の磁気ディスク。
（付記７）前記外周データ記録領域および前記内周データ記録領域においては、外周から内周に向かってアドレスが全体的に付与されていることを特徴とする付記５または６に記載の磁気ディスク。
（付記８）前記バックアップデータ記録領域においては、外周から内周に向かってアドレスが全体的に付与されていることを特徴とする付記６または７に記載の磁気ディスク。
（付記９）円板状の記録媒体としての磁気ディスクであって、外周から内周に向かって同心円状に複数分割されかつ円周方向に複数分割された領域を有し、複数の領域において、半径方向に一つ飛ばしの各領域と円周方向に一つ飛ばしの各領域とが、データが記録されるデータ記録領域に設定されていることを特徴とする磁気ディスク。
（付記１０）前記データ記録領域以外の各領域は、バックアップデータが記録されるバックアップデータ記録領域に設定されていることを特徴とする付記９に記載の磁気ディスク。
（付記１１）各データ記録領域においては、外周から内周に向かってアドレスが全体的に付与されていることを特徴とする付記９または１０に記載の磁気ディスク。
（付記１２）各バックアップデータ記録領域においては、外周から内周に向かってアドレスが全体的に付与されていることを特徴とする付記１０または１１に記載の磁気ディスク。
（付記１３）円板状の記録媒体としての磁気ディスクであって、外周から内周に向かって同心円状に複数分割された領域を有し、複数の領域において一つ飛ばしの各領域が、データが記録されるデータ記録領域に設定されている磁気ディスクと、
外周から内周において各データ記録領域でデータのリード／ライトを行う磁気ヘッドと、
を備えたことを特徴とする磁気ディスク装置。
（付記１４）円板状の記録媒体としての磁気ディスクであって、データが記録される外周データ記録領域が外周に設定され、かつ前記データが記録される内周データ記録領域が内周に設定されている磁気ディスクと、
外周から内周において前記外周データ記録領域および前記内周データ記録領域でデータのリード／ライトを行う磁気ヘッドと、
を備えたことを特徴とする磁気ディスク装置。
（付記１５）円板状の記録媒体としての磁気ディスクであって、外周から内周に向かって同心円状に複数分割されかつ円周方向に複数分割された領域を有し、複数の領域において、半径方向に一つ飛ばしの各領域と円周方向に一つ飛ばしの各領域とが、データが記録されるデータ記録領域に設定されている磁気ディスクと、
外周から内周において各データ記録領域でデータのリード／ライトを行う磁気ヘッドと、
を備えたことを特徴とする磁気ディスク装置。
【００６６】
【発明の効果】
以上説明したように、本発明によれば、記録領域の一部に対して利用者にアクセスを許可する許可領域を設ける場合に、外周から内周にわたって半径がそれぞれ異なる同心円によって挟まれる各分割領域における一つ飛ばしの各分割領域に対して、許可領域を分散して配置することとしたので、ディスク媒体上に多数の未使用領域が発生する場合であっても、許可領域をディスク媒体全体にわたって分散させることが可能となるため、磁気ヘッドの定点浮上の問題を防止することで信頼性を高めることができる。という効果を奏する。
【００６７】
また、本発明によれば、許可領域が配置されていない分割領域に対して、バックアップデータが記録されるバックアップデータ記録領域を分散して配置することとしたので、磁気ディスクの利用効率を高めることができるという効果を奏する。
【００６８】
また、本発明によれば、分割領域は、外周領域、中間領域および内周領域からなり、外周領域および内周領域に対して許可領域を分散して配置することとしたので、中間領域を除く、外周領域および内周領域に許可領域を分散して配置することが可能となり、磁気ヘッドの移動距離が長くなり定点浮上の問題を防止することで信頼性を高めることができるという効果を奏する。
【００６９】
また、本発明によれば、分割領域は、外周から内周にわたって半径がそれぞれ異なる同心円によって挟まれる領域として分割され、かつ、円周方向に分割されたものであることとしたので、外周から内周および同一円周上にわたって許可領域を分散させることが可能となるため、磁気ヘッドの定点浮上の問題を防止することで信頼性を高めることができるという効果を奏する。
【００７０】
また、本発明によれば、記録領域の一部に対して利用者にアクセスを許可する許可領域を設ける場合に、外周から内周にわたって半径がそれぞれ異なる同心円によって挟まれる各分割領域における一つ飛ばしの各分割領域に対して、許可領域を分散して配置した磁気ディスクと、分割領域に対するデータのリード／ライトを行う磁気ヘッドとを備えることとしたので、ディスク媒体上に多数の未使用領域が発生する場合であっても、許可領域をディスク媒体全体にわたって分散させることが可能となるため、磁気ヘッドの定点浮上の問題を防止することで信頼性を高めることができるという効果を奏する。
【図面の簡単な説明】
【図１】本発明にかかる一実施の形態の構成を示すブロック図である。
【図２】図１に示した磁気ディスク１１の構成を示す平面図である。
【図３】同一実施の形態で用いられる磁気ディスク４０の構成を示す平面図である。
【図４】同一実施の形態で用いられる磁気ディスク５０の構成を示す平面図である。
【図５】従来の磁気ディスクのデータ置換を説明する平面図である。
【符号の説明】
１０  磁気ディスク装置
１１  磁気ディスク
１４  磁気ヘッド
１７  ＶＣＭ駆動部
１８  ヘッドＩＣ
１９  リードチャネル
２０  サーボ復調部
２１  ＭＰＵ
【図１】
0003942932.tif 000002
【図２】
0003942932.tif 000003
【図３】
0003942932.tif 000004
【図４】
0003942932.tif 000005
【図５】
0003942932.tif 000006